(57)【要約】【課題】ローリングタワーに昇降装置と係止装置とからなるストッパーを設けた移動防止用ワンタッチストッパーを提供すること。【解決手段】ローリングタワー１のキャスター２にストッパー３を設け、前記ストッパー３を昇降装置４と係止装置５とから構成し、支持体７に作動レバー９とロックレバー１６を回動自在に軸着し、キャスター２の揚起時に前記作動レバー９をロック自在とした昇降装置４と、ワイヤー２３の一端部を係止片２１に取り付け、他端部を操作レバー２７に連結し、当該操作レバー２７を左右動させて前記係止片２１を回動して前記作動レバー９に係止自在とした係止装置５を備え、キャスター２の揚起時に前記昇降装置４をロック自在とすることを特徴とする。【選択図】　　図１
2004060291.tif 000002
【特許請求の範囲】
【請求項１】
ローリングタワーのキャスターに連結体を介して移動防止用ワンタッチストッパーが設けられ、前記ワンタッチストッパーが昇降装置と係止装置とから構成されていることを特徴とするローリングタワー移動防止用ワンタッチストッパー。
【請求項２】
前記昇降装置が、ベースを有する支持体が外筒体に昇降自在に取り付けられ、前記支持体に、従動レバーを軸着してなる作動レバーが回動自在に軸着され、前記作動レバーの内側に、ロックレバーが回動自在に軸着されて、キャスターの揚起時に前記作動レバーがロック自在とされていることを特徴とする請求項１に記載のローリングタワー移動防止用ワンタッチストッパー。
【請求項３】
前記係止装置が、回動自在に軸着された係止片にワイヤーの一端部を取り付け、前記ワイヤーの他端部をローリングタワー本体の支柱に設けた操作レバーに連結し、当該操作レバーを左右動させて前記係止片を回動して前記作動レバーに係止自在とし、キャスターの揚起時に前記昇降装置をロック自在としたことを特徴とする請求項１又は２に記載のローリングタワー移動防止用ワンタッチストッパー。
【発明の詳細な説明】
【０００１】
【発明の属する技術分野】
この発明は、ローリングタワー移動防止用ワンタッチストッパーに関し、詳しくは、例えば、高所での電設工事等に使用されるローリングタワーの移動防止用ワンタッチストッパーに関する。
【０００２】
【従来の技術】
従来、高所での電設工事等に使用されるローリングタワーは、図８に示されるように、矢倉状の骨組の下部４箇所にキャスターを取り付けて移動可能とされていた。
【０００３】
【発明が解決しようとする課題】
従来、ローリングタワーを用いて高所での電設工事中に、作業員がタワーに昇って作業中であるにもかかわらず、誤ってローリングタワーを移動させてしまうことが多く、作業員の墜落、転倒等の重大事故の発生を惹き起こしていた。
このため、作業中にローリングタワーが移動しないように、簡単な操作で完全に移動防止ができるワンタッチストッパーの開発が強く望まれていた。
【０００４】
この発明は、高所での電設工事等に使用されるローリングタワーに昇降装置と係止装置とからなる移動防止用ワンタッチストッパーを設けて、作業中にローリングタワーが移動しないようにしたローリングタワーの移動防止用ワンタッチストッパーを提供することを目的とする。
【０００５】
【課題を解決するための手段】
この発明は、前記の課題を解決するために以下に述べる手段を採用する。
この発明のローリングタワーの移動防止用ワンタッチストッパーは、ローリングタワーのキャスターに連結体を介して移動防止用ワンタッチストッパーが設けられ、前記ワンタッチストッパーが昇降装置と係止装置とから構成されていることを特徴とする。
【０００６】
又、この発明のローリングタワーの移動防止用ワンタッチストッパーは、前記昇降装置が、ベースを有する支持体が外筒体に昇降自在に取り付けられ、前記支持体に、従動レバーを軸着してなる作動レバーが回動自在に軸着され、前記作動レバーの内側に、ロックレバーが回動自在に軸着されて、キャスターの揚起時に前記作動レバーがロック自在とされていることを特徴とする。
【０００７】
更に、この発明のローリングタワーの移動防止用ワンタッチストッパーは、前記係止装置が、回動自在に軸着された係止片にワイヤーの一端部を取り付け、前記ワイヤーの他端部をローリングタワー本体の支柱に設けた操作レバーに連結し、当該操作レバーを左右動させて前記係止片を回動して前記作動レバーに係止自在とし、キャスターの揚起時に前記昇降装置をロック自在としたことを特徴とする。
【０００８】
【発明の実施の形態】
以下、この発明のローリングタワーの移動防止用ワンタッチストッパーを図に示される実施形態について更に詳細に説明する。
図１は、この発明の一実施形態に係るワンタッチストッパー３を作動させてキャスター２を揚起した状態の正面図を示す。図２は、この発明の一実施形態に係るワンタッチストッパー３を作動させてキャスター２を揚起した状態の側面図を示す。図３は、この発明の一実施形態に係るワンタッチストッパーの昇降装置を示す斜面図である。図４は、この発明の一実施形態に係るワンタッチストッパーの昇降装置を示す側面図である。図５は、この発明の一実施形態に係るワンタッチストッパー３を構成する昇降体４の作動状態の側面図を示す。図６は、図５の昇降体４の非作動時の正面図を示す。図７は、図５の昇降体４の作動時の正面図を示す。図８は、この発明のローリングタワーの斜面図を示す。
【０００９】
図８に示されるように、高楼状又は矢倉状の骨組からなるローリングタワー本体１の支柱２６の下端部の４箇所には、キャスター２がそれぞれ取り付けられてタワー本体１は、移動自在とされている。
前記キャスター２には、図１に示されるように、連結体２５を介して、移動防止用ワンタッチストッパー３が設けられている。このストッパー３は、昇降装置４と係止装置５とから構成されている。
【００１０】
前記昇降装置４は、図３〜７に示されるように、ベース６を下端部に設けてなる支持体７が外筒体８に昇降自在に取り付けられている。前記支持体７には、ほゞＬ字形の作動レバー９が回動可能に軸着１０されており、この作動レバー９の一端にはダウンペタル１１が取り付けられており、他端には従動レバー１２が回動可能に軸着１３されている。この従動レバー１２は、昇降装置４の取付部１４に回動自在に軸着１５されている。
【００１１】
前記作動レバー９の内側には、ロックレバー１６が同軸上に回動可能に軸着１０されており、このロックレバー１６に設けられた嵌合溝１７には、前記作動レバー９に設けた嵌合ピン１８が移動可能に遊嵌されている。前記ロックレバー１６には、アップペタル１９が取り付けられている。
【００１２】
昇降装置４は、前記のように構成されていることにより、ダウンペタル１１を下まで踏み込むと作動レバー９は、軸着部１０を中心に回動してその先端に軸着１３している従動レバー１２を揚起する。と同時に支持体７とベース６が下降して、図１に示すようにキャスター２を揚起する。
【００１３】
このとき軸着部１０上に軸着されたロックレバー１６が同時に下降すると同時にダウンペタル１１よりも高い位置でセットされ、作動レバー９がロック状態となる。すなわち、作動レバー９の嵌合ピン１８は、図３に示すように嵌合溝１７の下端に遊嵌された状態から、図４に示すように嵌合溝１７の上端に移動し、作動レバー９をロックする。
【００１４】
次に、キャスター２を下降させる場合は、前記の状態でアップペタル１９を下へ踏み込むと、ダウンペタル１１と同じ位置になり、ベース６が上に昇りロックが解除される。すなわち、作動レバー９をロックしている嵌合ピン１８は、嵌合溝１７の下端に移動して作動レバー９のロック状態が解除される。そして、キャスター２が下降して着地し、ローリングタワーの移動に備える。
【００１５】
昇降装置４のロックレバー１６による作動レバー９のロックは上記のように構成されているため、例えば、ローリングタワー１のロック状態の継続中、すなわち高所における電設工事中に、地上の作業員がうっかりしてアップペタル１９に接触等すると、作動レバー９のロックが瞬間的に解除されて、ローリングタワー１が傾斜等して移動する危険な状態となってしまうので、次に述べる係止装置５が設けられている。
【００１６】
前記キャスター２に設けられた移動防止用ワンタッチストッパー３を構成する係止装置５は、取付部２０を介して昇降装置４に取り付けられており、前記係止装置５には、係止片２１が回動自在に軸着２２されている。
この係止片２１の一端部は、ワイヤー２３の先端部に取り付けられており、他端部は、前記作動レバー９の外側辺に係止自在とされている。
【００１７】
前記ワイヤー２３の一端部には、前記係止片２１と圧縮バネ２４とが設けられており、係止片２１は、常に下方方向に付勢されている。前記ワイヤー２３の他端部は、ローリングタワー本体１の支柱２６に設けた操作レバー２７に連結されており、当該操作レバー２７を左右動させることで前記係止片２１が軸着部２２を中心に回動し、作動レバー９を係止自在としている。
【００１８】
前記係止装置５が上記のように構成されていることで、先ず、図１の状態において、係止片２１は、作動レバー９の外側辺に係止して昇降装置４をロック状態に保持している。この状態での係止片２１は圧縮バネ２４で下方に付勢されてロック状態が維持されている。
【００１９】
上記の状態において、操作レバー２７を図１の点線方向に倒すと、ワイヤー２３の先端部に取り付けられた係止片２１が、圧縮バネ２４の付勢力に抗して軸着部２２を中心に回転し、同図点線で示す位置に移動し、作動レバー９のロックが解除される。
【００２０】
作動レバー９をロックする場合には、操作レバー２７を図１の実線で示す位置に倒すと、係止片２１は圧縮バネ２４に付勢されて、同図実線で示す位置に回動して作動レバー９をロックする。
【００２１】
この発明の移動防止用ワンタッチストッパー３は、上記のように構成されていることにより、先ず、ローリングタワー本体１を所望の場所に移動して停止させ、４箇所のダウンペタル１１を順次踏み込んでキャスター２を揚起させる。このときの昇降装置４は、ロックレバー１６で１次ロックされ、ローリングタワー本体１は、昇降装置４で支持されている。次いで、操作レバー２７を倒すと係止片２１は、圧縮バネ２４の作用で回動し、作動レバー９の外側辺に係止して作動レバー９を２次ロックする。
【００２２】
【発明の効果】
この発明は上記のように構成されていることにより、ローリングタワーには、１次ロック及び２次ロックのダブルロック機構が備っているため、高所での作業時にローリングタワーが移動するおそれはなく、安全に作業を行なうことができる。
【図面の簡単な説明】
【図１】この発明の一実施形態に係るワンタッチストッパー示す正面図である。
【図２】この発明の一実施形態に係るワンタッチストッパー示す側面図である。
【図３】この発明の一実施形態に係るワンタッチストッパーの昇降装置を示す斜面図である。
【図４】この発明の一実施形態に係るワンタッチストッパーの昇降装置を示す側面図である。
【図５】この発明の一実施形態に係るワンタッチストッパーの昇降装置を示す側面図である。
【図６】図５の昇降装置を示す正面図である。
【図７】図５の昇降装置を作動させた状態を示す正面図である。
【図８】この発明のワンタッチストッパーを取り付けるローリングタワーを示す斜面図である。
【符号の説明】
１　ローリングタワー本体
２　キャスター
３　ワンタッチストッパー
４　昇降装置
５　係止装置
６　ベース
７　支持体
８　外筒体
９　作動レバー
１０、１３、１５、２２　軸着部
１１　ダウンペタル
１２　従動レバー
１４　取付部
１６　ロックレバー
１７　嵌合溝
１８　嵌合ピン
１９　アップペタル
２０　取付部
２１　係止片
２３　ワイヤー
２４　圧縮バネ
２５　連結体
２６　支柱
２７　操作レバー
【図１】
2004060291.tif 000003
【図２】
2004060291.tif 000004
【図３】
2004060291.tif 000005
【図４】
2004060291.tif 000006
【図５】
2004060291.tif 000007
【図６】
2004060291.tif 000008
【図７】
2004060291.tif 000009
【図８】
2004060291.tif 000010